(57)【要約】【課題】記録された情報からユーザが実際に視聴したいと予想される情報について要約再生することができる要約再生機能を備えた再生装置及び要約再生方法を提供する。【解決手段】各々が情報を示す複数の情報データ片を蓄積し、入力操作に応じて複数の情報データ片からいずれか１を選択し、その１の情報データ片に応じてそれが示す情報を再生し、複数のデータ片各々に対する情報再生頻度を検出し、要約再生指令に応じて複数の情報データ片各々に対する情報再生頻度に基づいた数の情報データ片についてその情報再生頻度に基づいた順序で情報再生する。【選択図】  図１
2004349778.tif 000002
【特許請求の範囲】
【請求項１】
各々が情報を示す複数の情報データ片を蓄積する蓄積手段と、
入力操作に応じて前記蓄積手段に蓄積された複数の情報データ片からいずれか１を選択する選択手段と、
前記選択手段によって選択された１の情報データ片に応じてそれが示す情報を再生する再生手段と、
前記複数のデータ片各々に対する情報再生頻度を検出する再生頻度検出手段と、
前記再生手段は、要約再生指令に応じて前記複数の情報データ片各々に対する前記情報再生頻度に基づいた数の情報データ片についてその情報再生頻度に基づいた順序で情報再生する要約再生動作を行うことを特徴とする要約再生機能を備えた再生装置。
【請求項２】
前記再生手段は、入力操作に応じて要約再生のテーマを受け入れるテーマ入力手段と、
前記テーマ入力手段によって受け入れられたテーマと内容的に合致した情報を示す情報データ片を前記複数の情報データ片のうちから検索する検索手段と、を含み、
前記要約再生動作時には前記検索手段によって検索された情報データ片のうちの前記情報再生頻度に基づいた数の情報データ片についてその情報再生頻度に基づいた順序で情報再生することを特徴とする請求項１記載の再生装置。
【請求項３】
前記再生手段は、前記要約再生動作時には、情報再生されるべき情報データ片が動画データ又は音声データである場合にはそのデータの一部だけについて情報再生することを特徴とする請求項１記載の再生装置。
【請求項４】
前記再生手段は、前記要約再生動作時には、情報再生されるべき情報データ片の冒頭から設定再生時間だけ情報再生することを特徴とする請求項３記載の再生装置。
【請求項５】
前記再生手段は、前記要約再生動作時には、情報再生されるべき情報データ片が静止画データである場合にはそのデータの全部について一定時間だけ情報再生することを特徴とする請求項１記載の再生装置。
【請求項６】
前記再生手段は、前記情報再生頻度に基づいた順序を、前記情報再生頻度が高い順序とすることを特徴とする請求項１記載の再生装置。
【請求項７】
前記再生手段は、前記情報再生頻度に基づいた順序を、前記情報再生頻度が高い順序を乱数によって変化させた順序とすることを特徴とする請求項１記載の再生装置。
【請求項８】
前記再生手段は、前記情報再生頻度が高い順序のうちの乱数によって定めた上位の範囲に属する情報再生頻度各々に対して乱数で定めた重み係数を乗算する乗算手段を含み、その上位の範囲において前記乗算手段による乗算結果後の情報再生頻度が高い順序を前記要約再生動作時の順序とすることを特徴とする請求項１記載の再生装置。
【請求項９】
複数の情報データ片各々についての関連データを保存した関連データベース部を有し、
前記検索手段は、前記関連データベース部に保存された関連データを用いて前記テーマ入力手段によって受け入れられたテーマと内容的に合致した情報を示す情報データ片を検索することを特徴とする請求項２記載の再生装置。
【請求項１０】
前記再生手段は、前記検索手段によって検索された情報データ片のうちの少なくとも２つの情報データ片各々が静止画データであるときにはその少なくとも２つの情報データ片が互いに類似画像を示すデータであるか否かを判別する判別手段と、
前記判別手段によって前記少なくとも２つの情報データ片が互いに類似画像を示すデータであると判別されたときには前記少なくとも２つの情報データ片のうちの前記情報再生頻度が最も高い情報データ片のみを前記検索された情報データ片として残す手段と、を更に含むことを特徴とする請求項２記載の再生装置。
【請求項１１】
前記再生頻度検出手段は、前記複数のデータ片各々に対応して備えられた複数の再生カウンタと、前記複数の再生カウンタのうちの前記１の情報データ片に対応した再生カウンタのカウント値を１だけアップさせる手段と、を有し、
前記複数の再生カウンタのカウント値が前記情報再生頻度であることを特徴とする請求項１記載の再生装置。
【請求項１２】
各々が情報を示す複数の情報データ片を蓄積し、
入力操作に応じて複数の情報データ片からいずれか１を選択し、
その１の情報データ片に応じてそれが示す情報を再生し、
前記複数のデータ片各々に対する情報再生頻度を検出し、
要約再生指令に応じて前記複数の情報データ片各々に対する前記情報再生頻度に基づいた数の情報データ片についてその情報再生頻度に基づいた順序で情報再生することを特徴とする要約再生方法。
【発明の詳細な説明】
【０００１】
【発明が属する技術分野】
本発明は、要約再生機能を備えた再生装置及び要約再生方法に関する。
【０００２】
【従来の技術】
ハードディスクレコーダ等の録画装置では放送番組の映像やビデオカメラで撮影した映像を録画して置き、後でユーザがその録画された映像の中から任意の映像を選択して視聴することができる。
このような録画装置においては多数の放送番組の映像や撮影した映像が録画されるので、録画内容全体を直ちに把握するために部分的に再生する要約再生が知られている。
【０００３】
従来の要約再生方法としては、例えば、画像信号や音声信号のレベル変化に応じて記録媒体の録画部分から再生部分を設定し、その設定部分を抽出して再生信号を出力することが一般的である（例えば、特許文献１）。
【０００４】
【特許文献１】
特開２０００−２５３３５１号公報
【０００５】
【発明が解決しようとする課題】
しかしながら、従来の要約再生方法では、再生される映像、音声等の情報はユーザが本当に見たいシーン或いは聴きたい音声であるとは限らないという問題点があった。
本発明が解決しようとする課題には、上記の問題点が一例として挙げられ、記録された情報からユーザが実際に視聴したいと予想される情報について要約再生することができる要約再生機能を備えた再生装置及び要約再生方法を提供することが本発明の目的である。
【０００６】
【課題を解決するための手段】
本発明の再生装置は、各々が情報を示す複数の情報データ片を蓄積する蓄積手段と、入力操作に応じて前記蓄積手段に蓄積された複数の情報データ片からいずれか１を選択する選択手段と、前記選択手段によって選択された１の情報データ片に応じてそれが示す情報を再生する再生手段と、前記複数のデータ片各々に対する情報再生頻度を検出する再生頻度検出手段と、前記再生手段は、要約再生指令に応じて前記複数の情報データ片各々に対する前記情報再生頻度に基づいた数の情報データ片についてその情報再生頻度に基づいた順序で情報再生する要約再生動作を行うことを特徴としている。
【０００７】
本発明の要約再生方法は、各々が情報を示す複数の情報データ片を蓄積し、入力操作に応じて複数の情報データ片からいずれか１を選択し、その１の情報データ片に応じてそれが示す情報を再生し、前記複数のデータ片各々に対する情報再生頻度を検出し、要約再生指令に応じて前記複数の情報データ片各々に対する前記情報再生頻度に基づいた数の情報データ片についてその情報再生頻度に基づいた順序で情報再生することを特徴としている。
【０００８】
【発明の実施の形態】
以下、本発明の実施例を図面を参照しつつ詳細に説明する。
図１は本発明を適用した要約再生装置を示している。この要約再生装置は、データ入力部１、データ蓄積部２、関連データベース部３、再生部４、制御部５、再生履歴管理部６、表示／音声出力部７及び操作部８を備えている。図１において波線で囲んだ再生部４、制御部５及び再生履歴管理部６は、例えば、マイクロコンピュータによって一体に構成することができる。
【０００９】
データ入力部１は動画データ、静止画データ及び音声データ等の情報データを外部から受け入れてデータ蓄積部２に書き込む。また、データ入力部１は情報データについての関連データを外部から情報データの付随データとして或いは別途受け入れて関連データベース部３に書き込む。関連データは動画データに対しては図２に示すように、ユーザ識別、データＩＤ、データ保管場所、ファイル名、撮影日時、撮影開始時間、撮影場所、コメント、シーン番号、シーン番号毎の開始時間及び終了時間からなる。静止画データに対しては図３に示すように、ユーザ識別、データＩＤ、データ保管場所、サブタイトル名、撮影日時、撮影開始時間、撮影場所、コメント、ファイル名、ファイル名毎の撮影時間、類似画像及び代表画像からなる。音声データに対しては図４に示すように、ユーザ識別、保管場所、保存日時、曲名（ファイル名）、歌手、作曲者、発売日、年間ヒットランキングからなる。また、関連データベース部３においては動画データにはシーン番号毎に、静止画データ及び音声データにはファイル名毎に再生履歴カウンタが形成される。再生履歴カウンタのカウント値はｋとして表され、その初期値は０である。なお、静止画データ及び音声データではファイルが、動画データではシーンがデータ片に対応する。
【００１０】
データ蓄積部２には再生部４が接続され、再生部４は制御部５からの再生指令に応じてデータ蓄積部２に保存された情報データを読み出してその情報データをデコードして映像信号或いは音声信号を表示／音声出力部７に供給する。
制御部５は関連データベース部３に保存された関連データ及び操作部８から供給される操作指令に応じて後述するように要約再生装置の情報保存動作、再生履歴保存動作、通常の再生制御動作及び要約再生制御動作等の各種動作を制御する。
【００１１】
再生履歴管理部６は関連データベース部３の各履歴カウンタのカウント値を管理する。
次に、かかる要約再生装置の各動作についてフローチャートを用いて説明する。
データ入力部１は、図５に示すように、動画データ、静止画データ及び音声データ等の情報データを外部から受け入れ（ステップＳ１）、その情報データをデータ蓄積部２に書き込む（ステップＳ２）。更に、情報データに付随した関連データを関連データベース部３に書き込む（ステップＳ３）。ステップＳ３では別途ユーザの入力操作に応じて受け入れた関連データを関連データベース部３に書き込んでも良い。このデータ入力部１によるデータ入力動作によってデータ蓄積部２には情報データが保存され、また関連データベース部３にはその関連データが保存される。
【００１２】
通常の映像／音声再生の際にはユーザが操作部８で入力操作を行う。制御部５は図６に示すように、操作部８からのユーザによる入力操作に応じた再生指令を受け入れる（ステップＳ１１）。再生指令では動画データの場合にはファイル名だけでなくシーン番号を含む。静止画データ及び音声データではファイル名が再生指令には含まれる。再生指令を受け入れると、制御部５はその再生指令に応じて再生部４にデータ蓄積部２から再生指令に対応したファイルを読み出させ（ステップＳ１２）、再生履歴管理部６に対して再生指令で示されたファイル名又はシーン番号に対応した再生履歴カウンタの計数アップを指示する（ステップＳ１３）。再生履歴管理部６は計数アップの指示に応答して動画データにはシーン番号毎に、静止画データ及び音声データにはファイル名毎に対応する再生履歴カウンタのカウント値ｋを１だけ増加させることにより更新する（ステップＳ１４）。制御部５は再生部４に再生開始を指令し（ステップＳ１５）、これに応じて再生部４はデータ蓄積部２から読み出したファイル形式のデータをデコードして表示／音声出力部７に供給する（ステップＳ１６）。これにより表示／音声出力部７からは再生映像及び再生音の少なくとも一方が出力される。
【００１３】
ユーザが再生のための入力操作を行われる毎に再生対象のファイル名又はシーン番号に対応した再生履歴カウンタのカウント値ｋが１だけ増加する。よって、例えば、図２〜図４に示したように各再生履歴カウンタのカウント値ｋは更新された値となる。
要約再生の際にはユーザが操作部８から要約再生のテーマを入力する。制御部５は図７に示すように、操作部８からの要約再生のテーマを受け入れ（ステップＳ２１）、そのテーマに関連したデータをファイル名又はシーン番号として検索し（ステップＳ２２）、検索結果のデータが得られたか否かを判別する（ステップＳ２３）。ステップＳ２２の検索は関連データベース部３を用いて行われる。例えば、関連データベース部３に保存されたファイル名、撮影場所或いはコメントが検索され、同一又は関連する文字列があるか否かが判別される。音声データ及び静止画データではファイル名が検索されるが、動画データの検索ではファイル名ではなくシーン番号が検索される。入力されたテーマに関連したファイル名又はシーン番号が検索されないならば、ステップＳ２１に戻って新たなテーマを受け入れる。この場合にはユーザに対して新たなテーマの入力操作を要求することになる。
【００１４】
一方、入力されたテーマに関連したデータがファイル名又はシーン番号として検索された場合には、その中に静止画データのファイルが含まれるか否かを判別する（ステップＳ２４）。静止画データのファイルである場合には、互いに類似画像の関係にあるデータファイルが存在するか否かを判別する（ステップＳ２５）。類似画像の関係にあるデータファイルがあるならば、代表画像のファイルだけ残し、他の類似画像のファイルについては検索結果のファイルから削除する（ステップ２６）。なお、代表画像は類似画像の中で再生履歴カウンタのカウント値ｋが最も大なる画像である。図３に示したように関連データベース部３においては類似画像のファイルには同一の符号（例えば、Ａ，Ｂ）が付けられており、代表画像には印（例えば、○）が付けられている。
【００１５】
ステップＳ２４において検索結果データ中に静止画データのファイルが含まれない場合、ステップＳ２５において類似画像の関係がない場合にはステップＳ２７が実行される。またステップＳ２６の実行後もステップＳ２７が実行される。
制御部５は、ステップＳ２７において検索結果データを再生履歴カウンタのカウント値ｋに応じてソートする。すなわち、ファイル及びシーン毎の再生履歴カウンタのカウント値ｋを関連データベース部３から読み出してカウント値ｋが大なる順にファイルを並べる。また、各ファイルの情報再生時間ｔを設定する（ステップＳ２８）。これは特に動画データや音声データの場合にその冒頭部分の再生時間ｔを設定する。例えば、ファイルの大きさやシーンの開始時間と終了時間との差に応じて定めることができる。また、音声データが楽曲を示す場合には、その楽曲のハイライト部分（いわゆる盛り上がり部分）を再生時間ｔとして設定することができる。
【００１６】
制御部５はステップＳ２８の実行後、要約再生動作を実行する（ステップＳ２９）。要約再生動作においては、図８に示すように、検索結果データのうちの再生履歴カウンタのカウント値ｋの最大値のものを選択する（ステップＳ３１）。その選択したファイルのデータに従ってステップＳ２８の再生時間だけの再生を再生部４に開始させる（ステップＳ３２）。すなわち、選択したファイル形式のデータが再生部４によってデータ蓄積部２から読み出され、その読み出されたデータのデコードが行われる。その読み出しデータが動画データならば、その動画データに応じて動画再生が行われ、静止画データならば、静止画再生が行われ、音声データならば、オーディオ再生が行われる。ユーザの入力操作によって操作部８から要約再生終了の指令が発せられたか否かを判別する（ステップＳ３３）。すなわち、要約再生中にユーザによってその再生終了が要求されたか否かが判別される。要約再生終了の指令が発せられた場合には、再生部４による要約再生を中止させる（ステップＳ３４）。
【００１７】
要約再生終了の指令が発せられていない場合には、ユーザの入力操作によって操作部８から要約再生中の動画又は音声について全再生の指令が発せられたか否かを判別する（ステップＳ３５）。全再生の指令が発せられた場合には要約再生中の動画のシーン又は音声のデータ全てを再生する全再生に切り替える（ステップＳ３６）。すなわち、要約再生のための設定時間ｔだけの再生ではなく終了まで全て再生するように再生部４に指令する。その後、全再生が終了したか否かを判別する（ステップＳ３７）。全再生が終了したならば、検索結果のデータのうちの残りのデータについて要約再生を再開するか否かを判別する（ステップＳ３８）。これは、全再生の終了後に表示／音声出力部７に要約再生を再開するか否かの表示を行い、ユーザに操作部８を介して選択操作させることによって決定される。要約再生を再開しない場合には、要約再生動作は終了し、要約再生を再開する場合にはステップＳ４０の処理を行う。
【００１８】
一方、全再生の指令が発せられていない場合には、制御部５はステップＳ３２で開始された要約再生が設定時間ｔだけ行われたか否かを判別する（ステップＳ３９）。設定時間ｔだけ行われていない場合にはその設定時間ｔが終了するまでステップＳ３２で開始された要約再生が継続されることになる。設定時間ｔだけの要約再生が行われた場合には全ての検索結果のデータの要約再生を終了したか否かを判別する（ステップＳ４０）。全ての検索結果のファイルについての要約再生を終了した場合には、要約再生動作は終了する。一方、全ての検索結果のデータの要約再生を終了していない場合には、その検索結果のデータのうちの再生履歴カウンタのカウント値ｋがステップＳ２７のソート順の次のものを選択し（ステップＳ４１）、そして、ステップＳ３２に戻って選択したファイル形式のデータに従ってステップＳ２８の再生時間だけの再生を開始させる。
【００１９】
ユーザによって指示されたテーマに応じて検索されたシーン単位の動画データを再生履歴カウンタのカウント値ｋ、すなわち再生頻度が大なる順にソートした結果が、例えば、図９に示すようになったとする。その動画のシーンが要約再生されると、図１０に示すように、シーン５，８，９，２，１１，３，……の順に各シーンの冒頭から設定時間ｔだけ動画再生が行われる。
【００２０】
ユーザによって指示されたテーマに応じて検索された静止画データのファイルを再生履歴カウンタのカウント値ｋが大なる順にソートした結果が、例えば、静止画４，８，１，１２，６，３，……の順であれば、その静止画データのファイルが要約再生されると、図１１に示すように、静止画４，８，１，１２，６，３，……の順に各静止画が設定時間ｔだけ各々表示される。静止画の場合の設定時間ｔは動画の要約再生の場合に比べて短く一定である。
【００２１】
ユーザによって指示されたテーマに応じて検索された音声（ここでは曲とする）データのファイルを再生履歴カウンタのカウント値ｋが大なる順にソートした結果が、例えば、曲Ｄ，Ｇ，Ｂ，Ｎ，Ｅ，Ａ，……の順であれば、その音声データのファイルが要約再生されると、図１２に示すように、曲Ｄ，Ｇ，Ｂ，Ｎ，Ｅ，Ａ，……の順に各楽曲のハイライト部分が設定時間ｔだけ各々表示される。
【００２２】
よって、ユーザがそれまでに再生した動画等の情報各々の再生頻度に応じて要約再生が行われるので、ユーザが実際に視聴したいと予想される情報についての要約再生映像及び音声が得られる。また、再生頻度が大なる順に画像や曲の要約再生が行われるので、ユーザが最も視聴したい情報ほど早く再生されることになる。更に、要約再生に画像や曲のハイライト部分を用いることにより、ユーザにとってより望ましい要約再生となる。
【００２３】
静止画のみの要約再生動作の場合には、図１３に示すように、スライドショウとして行うことができる。すなわち、制御部５は検索結果のファイル単位の静止画データのうちの再生履歴カウンタのカウント値ｋの最大値のものを選択する（ステップＳ５１）。その選択したファイルの静止画データに従って一定時間だけの再生を再生部４に指示する（ステップＳ５２）。これにより、表示／音声出力部７からは再生静止画映像が表示される。この静止画再生中にユーザの入力操作によって操作部８から要約再生終了の指令が発せられたか否かを判別する（ステップＳ５３）。すなわち、要約再生中にユーザによってその再生終了が要求されたか否かが判別される。要約再生終了の指令が発せられた場合には、要約再生を中止する（ステップＳ５４）。
【００２４】
要約再生終了の指令が発せられていない場合には、全ての検索結果の静止画データのファイルについての要約再生を終了したか否かを判別する（ステップＳ５５）。全ての検索結果の静止画データの要約再生を終了した場合には、要約再生動作は終了する。一方、全ての検索結果の静止画データの要約再生を終了していない場合には、その検索結果の静止画データのうちの再生履歴カウンタのカウント値ｋがステップＳ２７のソート順の次のものを選択し（ステップＳ５６）、そして、ステップＳ５２に戻って選択したデータに従って静止画再生を開始する。
【００２５】
上記した実施例においては、ユーザが指定したテーマに応じた検索結果のファイルについての要約再生の順番を再生履歴カウンタのカウント値ｋが大なる順としたが、これに限定されない。例えば、検索結果のファイルについてランダムな順に要約再生しても良い。
図１４はランダムな順に要約再生する要約再生制御をフローチャートとして示している。図１４の要約再生制御のステップＳ２１〜Ｓ２８（ステップＳ２７を除く）は図７に示した要約再生制御と同一のステップである。ステップＳ２７は図１４の要約再生制御では行われない。制御部５はステップＳ２８の実行後には乱数による要約再生を行う（ステップＳ３０）。
【００２６】
ステップＳ３０の要約再生動作は図１５に示すように実行される。制御部５は乱数を発生してその発生乱数に応じてカウント値ｋを決定し（ステップＳ６１）、その決定したカウント値に対応したファイルに従ってステップＳ２８の再生時間だけの再生を再生部４に開始させる（ステップＳ３２）。ステップＳ３２〜Ｓ４０までは図８に示した要約再生動作と同一である。ステップＳ４０において全ての検索結果のファイルについての要約再生を終了していないと判別した場合にはステップＳ６１に戻って要約再生されてない残りファイルについて乱数を発生してその発生乱数に応じてカウント値ｋを決定する。
【００２７】
静止画のみの要約再生動作の場合もランダム順の要約再生を適用することができる。図１６に示すように、制御部５は乱数を発生してその発生乱数に応じてカウント値ｋを決定し（ステップＳ７１）、その決定したカウント値に対応したファイルの静止画データに従って一定時間だけの再生を再生部４に指示する（ステップＳ５２）。ステップＳ５２〜Ｓ５５までは図１３に示した要約再生動作と同一である。ステップＳ５５において全ての検索結果のファイルについての要約再生を終了していないと判別した場合にはステップＳ７１に戻って要約再生されてない残りファイルについて乱数を発生してその発生乱数に応じてカウント値ｋを決定する。
【００２８】
図１７は更に、ランダム順の要約再生制御をフローチャートとして示している。図１７に示した要約再生制御では、制御部５は先ず、重み係数ａの乗算を行うカウント値ｋの範囲を乱数で決定する（ステップＳ８１）。すなわち、検索結果のファイル名（シーン番号を含む）を有するデータのうちの再生履歴カウンタのカウント値ｋ上位のＸ％のＸを乱数を発生して決定するのである。また、重み係数ａの範囲を例えば、０．５〜１．５の範囲のように決定し（ステップＳ８２）、乱数を発生して重み係数ａの範囲内から重み係数ａを上記の上位Ｘ％のファイルに対して各々決定する（ステップＳ８３）。その後、その上位Ｘ％のファイルに対してカウント値ｋ’をｋ×ａによって算出し（ステップＳ８４）、上位Ｘ％のファイルのうちのカウント値ｋ’の最大値のものを選択する（ステップＳ８５）。ステップＳ８５の実行後は図８に示したステップＳ３２〜Ｓ４０と同一であるので、説明を省略する。
【００２９】
ステップＳ４０において全ての検索結果のファイルについての要約再生を終了していないと判別した場合には、その検索結果のファイルのうちの再生履歴カウンタのカウント値ｋ及びｋ’がソート順の次のものを選択し（ステップＳ８６）、そして、ステップＳ３２に戻って選択したファイル形式のデータに従ってステップＳ２８の再生時間だけの再生を開始させる。ステップＳ８６ではカウント値ｋ’が計算されたファイルについてはカウント値ｋ’を用い、それ以外はカウント値ｋを用いてそのｋ及びｋ’の大なる順番にファイルを選択する。
【００３０】
ユーザによって指示されたテーマに応じて検索された動画のシーンを再生履歴カウンタのカウント値ｋ、すなわち再生頻度が大なる順にソートした結果が、例えば、図１８に示すようになったとする。このソート順に従ってステップＳ８１にて発せられた乱数によってカウント値ｋ上位のＸ％がシーン番号５，８，９，２，１１までと決定されたとする。ステップＳ８２にて重み係数ａの範囲が０．５〜１．５の範囲にように決定され、ステップＳ８３にて乱数を発生してシーン番号５，８，９，２，１１のデータに対する重み係数ａが例えば、図１９に示すように設定される。よって、ステップＳ８４ではカウント値ｋ’が例えば、図１９に示すように計算される。その動画のシーンが要約再生される場合には、図２０に示すように、シーン９，８，５，２，１１，３，……の順に各シーンの冒頭から設定時間ｔだけ動画再生が行われる。
【００３１】
図１７に示した要約再生動作と同様にカウント値ｋ’を用いる静止画のみの要約再生動作は、図２１に示すように行うことでできる。この要約再生動作では、上記したステップＳ８１〜Ｓ８５、ステップＳ５２〜Ｓ５５及びステップＳ８６と同様であり、ファイルが静止画ファイルに限定されるだけの違いであるので、ここでの説明を省略する。
【００３２】
以上のように、本発明によれば、記録された情報からユーザが実際に視聴したいと予想される情報について要約再生することができる。
【図面の簡単な説明】
【図１】本発明を適用した要約再生装置を示すブロック図である。
【図２】動画データベースを示す図である。
【図３】静止画データベースを示す図である。
【図４】音声データベースを示す図である。
【図５】データ入力部の動作を示すフローチャートである。
【図６】通常の再生制御動作を示すフローチャートである。
【図７】要約再生制御動作を示すフローチャートである。
【図８】図７の要約再生動作を具体的に示すフローチャートである。
【図９】シーン番号とカウンタ値との関係例を示す図である。
【図１０】動画の要約再生例を示す図である。
【図１１】静止画の要約再生例を示す図である。
【図１２】楽曲の要約再生例を示す図である。
【図１３】静止画データのみの要約再生動作を具体的に示すフローチャートである。
【図１４】他の実施例として要約再生制御動作を示すフローチャートである。
【図１５】図１４の乱数による要約再生動作を具体的に示すフローチャートである。
【図１６】静止画データのみの乱数による要約再生動作を具体的に示すフローチャートである。
【図１７】乱数による要約再生動作を具体的に示すフローチャートである。
【図１８】図１７の要約再生動作の場合のシーン番号とカウンタ値との関係及び上位Ｘ％を例示する図である。
【図１９】重み係数及びその重み係数乗算後のカウント値を示す図である。
【図２０】動画の場合の乱数による要約再生例を示す図である。
【図２１】静止画データのみの乱数による要約再生動作を具体的に示すフローチャートである。
【符号の説明】
１  データ入力部
２  データ蓄積部
３  関連データベース部
４  再生部
５  制御部
６  再生履歴管理部
【図１】
2004349778.tif 000003
【図２】
2004349778.tif 000004
【図３】
2004349778.tif 000005
【図４】
2004349778.tif 000006
【図５】
2004349778.tif 000007
【図６】
2004349778.tif 000008
【図７】
2004349778.tif 000009
【図８】
2004349778.tif 000010
【図９】
2004349778.tif 000011
【図１０】
2004349778.tif 000012
【図１１】
2004349778.tif 000013
【図１２】
2004349778.tif 000014
【図１３】
2004349778.tif 000015
【図１４】
2004349778.tif 000016
【図１５】
2004349778.tif 000017
【図１６】
2004349778.tif 000018
【図１７】
2004349778.tif 000019
【図１８】
2004349778.tif 000020
【図１９】
2004349778.tif 000021
【図２０】
2004349778.tif 000022
【図２１】
2004349778.tif 000023